(57)【要約】      （修正有）【課題】既存の椅子を簡易に改造して形成することができる座面傾斜機構付き椅子を提供する。【解決手段】座面１１ａを有する椅子本体１０と、前記椅子本体１０の下部後方左右に設けられ、先端に車輪を有する一対の脚であって、前記椅子本体１０の左右に延びる第１の回転軸に対して基端側が回動するように固定される脚である後部脚２１と、前記椅子本体１０の下部前方に固定され、少なくとも前記後部脚２１の垂直に立った状態における前記座面１１ａから下端までの最短の長さよりも、前記座面１１ａから下端までの最短の長さが短くなるように形成される脚である前部脚３１と、前記椅子本体１０の側面左右に形成される一対のレバーであって、それぞれが前記椅子本体１０の座面１１ａよりも下方において前記椅子本体１０の左右に延びる第２の回転軸に対して所定範囲で回動し、この回動が前記後部脚２１の回動と連動するレバー２３とを設ける。【選択図】図３
2007089993.tif 000002
【特許請求の範囲】
【請求項１】
座面を有する椅子を構成する椅子本体と、
前記椅子本体の下部後方の左右に設けられる、先端に車輪を有する一対の脚であって、前記椅子の左右に延びる第１の回転軸に対して基端側が回動するように固定される後部脚と、
前記椅子本体の下部前方に固定される、少なくとも前記後部脚の垂直に立った状態における前記座面から下端までの最短の長さよりも、前記座面から下端までの最短の長さが短くなるように形成される脚である前部脚と、
前記椅子本体の側面左右に形成される一対のレバーであって、それぞれが前記椅子本体の座面よりも下方において前記椅子本体の左右に延びる第２の回転軸に対して所定範囲で回動すると共に、この回動が前記後部脚の回動と連動するように形成されるレバーと、
を有する座面傾斜機構付き椅子。
【請求項２】
前記レバーの先端には肘掛が固定され、
前記レバーが前記椅子本体の最も後方側に位置する状態において前記肘掛は着座者の肘を置くことができる位置に存すると共に、前記座面から前記後部脚の下端までの最短の長さと、前記座面から前記前部脚の下端までの最短の長さとがほぼ一致し、前記レバーが前記椅子本体の最も前方側に位置する状態において、前記座面から前記後部脚の下端までの最短の長さが、前記座面から前記前部脚の下端までの最短の長さよりも長くなるように形成される請求項１に記載の座面傾斜機構付き椅子。
【請求項３】
前記前部脚は先端に車輪を有する請求項１から３のいずれか１項に記載の座面傾斜機構付き椅子。
【請求項４】
前記座面傾斜機構付き椅子は、さらに、前記後部脚とは別の後部の脚を構成する車輪である駆動輪を有することにより車椅子を形成し、
前記後部脚が傾斜した所定の回動位置において、前記座面から前記後部脚の下端までの最短の長さが、前記座面から前記駆動輪の下端までの最短の長さよりも短くなるとともに、少なくとも前記後部脚の垂直に立った状態における前記座面から前記後部脚の下端までの最短の長さが、前記座面から前記駆動輪の下端までの最短の長さより長くなるように形成される
請求項４に記載の座面傾斜機構付き椅子。
【発明の詳細な説明】
【技術分野】
【０００１】
本発明は座面が傾斜することにより着座者の起立や、食事等の机上における作業性向上を補助する機構が設けられた椅子に関する。
【背景技術】
【０００２】
従来、老人など足が弱った人は椅子から立ち上がることが困難であるために、立ち上がることを補助するために座面が傾斜する機構を有する椅子が種々提案されている。このような座面傾斜機構付きの椅子は、特許文献１に記載のような、座板が回動可能に形成されており、座板部分のみが前方へ傾斜するものと、特許文献２に記載されているような、座板の下方にリンク機構が設けられており、リンク機構に連結される座板が前方に傾斜するものの２つの種類に分けることができる。なお、このような座面が傾斜する椅子の構造は机上における作業性の向上にも資する場合がある。
【特許文献１】特願２００２−６３４９８号公報
【特許文献２】特許第３６６０８６３号公報
【発明の開示】
【発明が解決しようとする課題】
【０００３】
しかし、上記のいずれの種類の椅子も、椅子の座板を変更したり、座板より下の部分を変更するものであるために、既存の椅子をそのまま利用することができず、また、機構も複雑なものとなっていた。また、既存の椅子を改造するのではなく、全てを設計製作するような場合も椅子の本体部分の構成に大きな制約が生じるのでデザイン的な自由度が小さくなるという問題もある。
本発明は、このような問題に鑑みて、既存の椅子を簡易に改造して形成することができ、また、既存の椅子を利用しない場合においてもデザイン的な制約の少ない、簡易な構成を有する座面傾斜機構が設けられた椅子を提供することを課題とする。
【課題を解決するための手段】
【０００４】
上記課題を解決するために、本発明は次のような構成を有する。
請求項１に記載の発明は、座面を有する椅子を構成する椅子本体と、前記椅子本体の下部後方の左右に設けられる、先端に車輪を有する一対の脚であって、前記椅子本体の左右に延びる第１の回転軸に対して基端側が回動するように固定される脚である後部脚と、前記椅子本体の下部前方に固定される、少なくとも前記後部脚の垂直に立った状態における前記座面から下端までの最短の長さよりも、前記座面から下端までの最短の長さが短くなるように形成される脚である前部脚と、前記椅子本体の側面左右に形成される一対のレバーであって、それぞれが前記椅子本体の座面よりも下方において前記椅子本体の左右に延びる第２の回転軸に対して所定範囲で回動すると共に、この回動が前記後部脚の回動と連動するように形成されるレバーとを有する座面傾斜機構付き椅子。
請求項２に記載の発明は、前記座面傾斜機構付き椅子において、前記レバーの先端には肘掛が固定され、前記レバーが前記椅子本体の最も後方側に位置する状態において前記肘掛は着座者の肘を置くことができる位置に存すると共に、前記座面から前記後部脚の下端までの最短の長さと、前記座面から前記前部脚の下端までの最短の長さとがほぼ一致し、前記レバーが前記椅子の最も前方側に位置する状態において、前記座面から前記後部脚の下端までの最短の長さが、前記座面から前記前部脚の下端までの最短の長さよりも長くなるように形成されるものである。なお、ここで、「前記座面から前記後部脚の下端までの最短の長さと、前記座面から前記前部脚の下端までの最短の長さとがほぼ一致し」とは、通常状態の座面がデザイン上多少後傾している場合における、前部脚から座面までの最短の長さと、後部脚から座面までの最短の長さの差を許容誤差とするものであり、これらの長さ同士をほぼ一致するものと見なす。
請求項３に記載の発明は、前記座面傾斜機構付き椅子において、前記前部脚は先端に車輪を有するものである。
請求項４に記載の発明は、請求項３に記載の座面傾斜機構付き椅子において、前記座面傾斜機構付き椅子は、さらに、前記後部脚とは別の後部の脚を構成する車輪である駆動輪を有することにより車椅子を形成し、前記後部脚が傾斜した所定の回動位置において、前記座面から前記後部脚の下端までの長さが、前記座面から前記駆動輪の下端までの最短の長さよりも短くなるとともに、少なくとも前記後部脚の垂直に立った状態における前記座面から前記後部脚の下端までの最短の長さが、前記座面から前記駆動輪の下端までの最短の長さより長くなるように形成されるものである。
【発明の効果】
【０００５】
請求項１に記載の発明は、椅子の後部脚の先端に車輪を設けるとともに、基端側で回動するように形成され、この回動をレバーにより操作できるようにすることで、後部脚を回動させて後部脚を高くすることにより椅子の座面の後方を高く持ち上げ、これにより座面を傾斜させるものである。このように、椅子の下部の脚と側面のレバーのみにより椅子の傾斜を達成しているので、既存の椅子を、比較的簡単に改造して座面傾斜機能付き椅子として形成できるとともに、機構も簡易なものとすることができる。また、全体を最初から設計する場合においても、椅子の下面に設ける後部脚および前部脚と側面に設けるレバーにより座面傾斜機構が構成されるので、椅子本体部分の構成について制約がほとんどなく、デザインの自由度を高くすることができる。
請求項２に記載の発明は、レバーの先端に肘掛を設け、レバーを最後方に位置させた状態で肘掛を普通に使用できる状態とするとともに、肘掛を前方に押してレバーを前方に倒すことで、後部脚が立ち上がって座面が前方に傾斜する。このような動作を行うことにより、着座者は肘掛に肘を掛けた状態で立ち上がるために前傾すると、肘掛が自然に前に押されて座面が傾斜するので自然な動作で無理なく座面を傾斜させることができる。
請求項３に記載の発明は、前記前部脚は先端に車輪を有するので、後部脚の車輪と合わせて椅子本体を４つの車輪で支持することにより、椅子に着座者が座った状態で補助者が椅子を押して楽に移動させることができる。
請求項４に記載の発明は、既存の車椅子を改造して比較的簡易に座面傾斜機構を設けることができるとともに、機構も簡易なものとすることができる。また、車椅子の本体の構成はほとんど変える必要がないので、やはり、既存の車椅子を改造するのではない場合であっても、デザインの自由度を高くすることができる。
【発明を実施するための最良の形態】
【０００６】
以下、本発明の実施の形態について、図面を参照しながら説明する。
（実施形態１）
図１に実施形態１に係る座面傾斜機構付き椅子Ｘの側面図を示す。座面傾斜機構付き椅子Ｘは既存の椅子を改造したものであり、座面１１ａを有するクッション１１、背もたれ１２、クッショの下方を支持する台座１３とから形成される椅子本体１０は既存の椅子の構成をそのまま用いている。そして、これに座面傾斜機構２０と、前部脚３１とが設けられる。座面傾斜機構２０は、後部脚２１、回動機構２２、レバー２３、肘掛２４とから構成される。後部脚２１は、十分な厚さと強度をもつＴ字状の板体を左右に張り出した先端部分に直角に長方形状の適当な穴を設けた板体を溶接した脚本体２１ａ、溶接された板体部分の穴にボルトとナットにより固定される車輪２１ｂ、脚本体２１ａの車輪２１ｂとは相対する端部に固定される歯車２１ｃとから構成される。回動機構２２は、前記後部脚２１の歯車２１ｃと、歯車２１ｃに噛みあう歯車２３ｂと、これらの歯車２１ｃ、２３ｂとを噛みあった状態でそれぞれを椅子本体１０の左右に延びる第１の回動軸および第２の回動軸に回動自在に固定するギアボックス２２ａとから構成される。レバー２３は鋼製の断面形状が長方形状の真直ぐな管体からなるレバー本体２３ａ、レバー本体２３ａの下端側に固定される前記歯車２３ｂと、レバー本体２３ａの先端に溶接固定される適所に穴が形成された板体２３ｃ、レバー本体２３ａの下端背面側に一端が固定され前記ギアボックス２２ａの一部に他端が固定される引張りバネ２３ｄとから構成される。肘掛２４は木製であり、緩やかな上に向って湾曲する長尺のブロック体から構成され、レバー本体２３ａの板体２３ｃの穴を介してネジにより固定される。前部脚３１は、垂直な軸に対しても回動可能に固定される車輪であり、椅子本体１０の台座１３の下面に固定される。なお、座面傾斜機構２０および前部脚３１は、椅子の左右に対称に設けられる。
【０００７】
図２の座面傾斜機構付き椅子Ｘの一部拡大側面図に示すように、後部脚２１は、レバー本体２３ａがほぼ垂直状態で車輪２１ｂが背面側に向うように傾斜し、後部脚本体２１ａの背面側の一部が、ギアボックス２２ａの一部に当接してそれ以上は後方に動けないように構成されており、この状態で安定する。そして、前部脚３１の高さは、この状態の後部脚２１の高さとほぼ一致するように形成されており、この状態で座面１１ａはほぼ水平状態となる。また、この状態で肘掛２４は着座者が丁度肘を掛けることができる位置に存する。
そして、レバー２３を前方へ傾斜させ、レバー２３の前面側の一部がギアボックス２２ａの一部に当接してそれ以上は傾斜できない位置になると、図３の一部拡大側面図に示すように、後部脚２１は車輪がやや前方に向うように緩やかな傾斜を持ってほぼ垂直に立ち上がる。このレバー２３の位置において、座面１１ａに人が座って下方に力がかかっていれば、この状態で安定する。また、この状態から座っている人が立ち上がり、座面１１ａに力が加わらなくなると、レバー２３に設けられる引張りバネ２３ｄにより、レバー２３が元の位置に引き戻され後部脚２１は元の位置に回動して戻り、図２に示す状態となる。
【０００８】
次に、以上のような構成を有する座面傾斜機構付き椅子Ｘの使用方法について説明する。使用者は通常は図１、図２に示すように座面１１ａがほぼ水平な状態で椅子に座る。この状態で、立ち上がる際には、使用者は、肘掛２４に肘を掛けた状態で肘とともに体ごと前傾する。すると、肘掛２４に固定されたレバー２３も肘掛２４に押される。これにより、回動機構２２を通じて、後部脚２１が立ち上がるように回動し、後部脚２１の高さが高くなる。この結果、椅子本体１０の後部が持ち上がり座面１１ａが前傾していくこととなる。これにより、使用者が体重を楽に前に移動させることができ、少ない労力で立ち上がることができる。使用者が立ち上がると、レバー２３は引張りバネ２３ｄにより引き戻され、これにつれて後部脚２１が元の位置に回動して低くなり、座面傾斜機構付き椅子Ｘは通常の状態となる。
【０００９】
本実施形態に係る座面傾斜機構付き椅子Ｘは上記に示すように座面傾斜機構のついた椅子を、既存の椅子を簡易に改造して形成することができる。また、既存の椅子を改良するのではなく、最初から座面傾斜機構付き椅子Ｘとして設計する場合においても、椅子本体の構成に座面傾斜機構はほとんど影響を与えないので、デザイン的な自由度を高くすることができる。なお、肘掛が当所から設けられている椅子に対しては、レバー２３の先端に肘掛を設けることなく、レバー２３のみを設けて、これを直接操作するようにすればよい。
【００１０】
なお、上記実施形態においては、後部脚２１には車輪が一つだけ設けられているが、図４（ａ）に示すように、車輪を２つ設けるようにすることもできる。即ち、図４（ａ）に示す後部脚２１αは、上記後部脚２１の前方側の側面に当初の車輪２１ｂに対して、ほぼ直角方向に向う車輪２１ｄを設けたものであり、通常の状態においては車輪２１ｄが地面に当接し、車輪２１ｂは浮き上り、図４（ｂ）に示すように、レバー２３を最大に前傾させた状態においては、車輪２１ｃが地面に当接し、車輪２１ｄは浮き上るように形成される。
【００１１】
（実施形態２）
図５に、実施形態２に係る座面傾斜機構付き椅子Ｙの側面図を示す。本座面傾斜機構付き椅子Ｙは車椅子であり、既存の車椅子を改造して形成される。そのため、座面５１ａを構成する座シート、背もたれからなる椅子本体５０、前部脚となる前輪８１、他の後部脚となる駆動輪７１、フットレスト、肘掛等は既存の車椅子の構成をそのまま用いている。そして、これに、座面傾斜機構６０が設けられる。
座面傾斜機構６０は、後部脚６１、回動機構６２、レバー６３とから構成される。後部脚６１は、十分な厚さと強度をもつＴ字状の板体を左右に張り出した先端部分に直角に長方形状の適当な穴を設けた板体を溶接した脚本体６１ａ、溶接された板部分の穴にボルトとナットにより固定される車輪６１ｂ、脚本体６１ａの車輪６１ｂとは相対する端部に固定される歯車６１ｃとから構成される。回動機構６２は、前記後部脚６１の歯車６１ｃと、歯車６１ｃに噛みあう歯車６３ｂと、これらの歯車６１ｃ、６３ｂとを噛みあった状態でそれぞれを椅子本体５０の左右に延びる第１の回動軸および第２の回動軸に回動自在に固定するギアボックス６２ａとから構成される。レバー６３は鋼製の断面形状が長方形状の途中で前方に屈曲した管体からなるレバー本体６３ａ、レバー本体６３ａの下端側に固定される前記歯車６３ｂと、レバー本体６３ａの下端背面側に一端が固定され前記ギアボックス６２ａの一部に他端が固定される引張りバネ６３ｄとから構成される。座面傾斜機構６０は、椅子の左右に対称に設けられる。
【００１２】
後部脚２１は、レバー本体６３ａが前記引張りバネ６３ｄが最も縮んだ状態において、車輪６１ｂが背面側に向うように傾斜し、後部脚６１の高さが、駆動輪７１の高さよりも低くなる結果、車輪６１ｂが地面から浮いた状態となる。即ち、この状態の後部脚６１の下端から座面５１ａまでの最短の長さは、駆動輪７１の下端から座面５１ａまでの最短の長さよりも短くなる。この状態は引張りバネ６３ｄにより安定しており、座面５１ａはほぼ水平状態となる。
そして、レバー６３を前方へ傾斜させて、レバー６３の前面側の一部が、ギアボックス６２ａの一部に当接してそれ以上は傾斜できない位置になると、図６の側面図に示すように、後部脚６１は車輪がやや前方に向うように緩やかな傾斜を持ってほぼ垂直に立ち上がる。このレバー６３の位置において、後部脚６１の高さは駆動輪７１の高さよりも高くなり、今度は駆動輪７１が地面から浮いた状態となる。即ち、この状態の後部脚６１の下端から座面5１ａまでの最短の長さは、駆動輪７１の下端から座面5１ａまでの最短の長さよりも長くなり、椅子本体５０の後部が上方に持ち上げられて座面5１ａは前方に傾斜する。この状態において、座面5１ａに人が座って下方に力がかかっていれば、この状態で安定し、また、この状態から座っている人が立ち上がり、座面5１ａに力が加わらなくなると、レバー６３に設けられる引張りバネ６３ｄにより、レバー６３が元に位置に引き戻され後部脚６１は元の位置に回動して戻り、図５に示す状態となる。
【００１３】
次に、以上のような構成を有する座面傾斜機構付き椅子Ｙの使用方法について説明する。使用者は通常は図５に示すように座面5１ａがほぼ水平な状態で椅子に座る。この状態で、立ち上がる際には、使用者は、レバー６３を持ってレバー６３を押し下げながら体ごと前傾する。これにより、回動機構２２を通じて、後部脚２１が立ち上がるように回動する。この結果、後部脚２１の高さが駆動輪７１よりも高くなり、椅子本体１０の後部が持ち上がって座面５１ａが前傾していくこととなる。これにより、使用者が体重を楽に前に移動させることができ、少ない労力で立ち上がることができる。使用者が立ち上がると、レバー６３は引張りバネ６３ｄにより引き戻され、これによって、後部脚６１が元の位置に回動して低くなり、座面傾斜機構付き椅子Ｙは通常の状態となる。
【００１４】
なお、上記各実施形態における各部の材質や形状は適宜変更してよいことは言うまでもない。また、上記各実施形態においてレバー２０、６０はそれぞれ引張りバネ２３ｄ、６３ｄにより着座状態に引き戻されるように構成しているが、これらの引張りバネ２３ｄ、６３ｄを圧縮バネとして座面の傾斜状態にレバー２０、６０を押圧するようにしてもよい。このように構成すると、通常状態では着座者の体重により座面はほぼ水平に保たれるが、着座者が少し体を浮かせるように前傾すると圧縮バネがこれを補助するように動き、より容易に座面を傾斜状態にすることができる。
【図面の簡単な説明】
【００１５】
【図１】実施形態１に係る座面傾斜機構付き椅子の側面図である。
【図２】実施形態１に係る座面傾斜機構付き椅子の一部拡大側面図である。
【図３】実施形態１に係る座面傾斜機構付き椅子の傾斜状態における一部拡大側面図である。
【図４】（ａ）は後部脚の変形例を示す座面傾斜機構付き椅子の一部拡大側面図であり、（ｂ）は後部脚の変形例を示す座面傾斜機構付き椅子の傾斜した状態の一部拡大側面図である。
【図５】実施形態２に係る座面傾斜機構付き椅子の側面図である。
【図６】実施形態２に係る座面傾斜機構付き椅子の傾斜状態における側面図である。
【符号の説明】
【００１６】
X、Ｙ  座面傾斜機構付き椅子
１０、５０  椅子本体
２０、６０  座面傾斜機構
２１、６１  後部脚
２１ｂ、６１ｂ  車輪
２２、６２  回動機構
２３、６３  レバー
２４        肘掛
３１、８１  前部脚
７１        駆動輪
【図１】
2007089993.tif 000003
【図２】
2007089993.tif 000004
【図３】
2007089993.tif 000005
【図４】
2007089993.tif 000006
【図５】
2007089993.tif 000007
【図６】
2007089993.tif 000008